(57)【要約】【課題】音場の伝達特性を測定するために必要なデータを効率的に記録する音場伝達特性データ記録システムを提供すること。【解決手段】測定音を表す測定音信号を生成する測定音信号生成装置１１０と、測定音を音場が形成される空間内に発音する発音装置１２０と、発音された測定音を収音する収音装置１３０とを備え、測定音信号生成装置１１０は、測定音信号および測定音が発音された時点を表すトリガ信号を生成する信号生成手段１１１と、トリガ信号を無線で送信する無線送信手段１１２とを備え、収音装置１３０は、空間内に発音され、空間内で伝わった測定音を収音する収音手段１３１と、トリガ信号を無線で受信する無線受信手段１３２と、収音された測定音を表す収音信号および受信されたトリガ信号を音場の伝達特性を取得するために必要なデータとして記録する記録手段１３３とを備える構成を有する。【選択図】　図１
2004125654.tif 000002
【特許請求の範囲】
【請求項１】
測定音を表す測定音信号を生成する測定音信号生成装置と、前記測定音を音場が形成される空間内に発音する発音装置と、発音された前記測定音を収音する収音装置とを備え、前記測定音信号生成装置は、前記測定音信号および前記測定音が発音された時点を表すトリガ信号を生成する信号生成手段と、前記トリガ信号を無線で送信する無線送信手段とを備え、前記収音装置は、前記空間内に発音され、前記空間内で伝わった前記測定音を収音する収音手段と、前記トリガ信号を無線で受信する無線受信手段と、収音された前記測定音を表す収音信号および受信された前記トリガ信号を前記音場の伝達特性を取得するために必要なデータとして記録する記録手段とを備えることを特徴とする音場伝達特性データ記録システム。
【請求項２】
測定音を表す測定音信号を生成する測定音信号生成装置と、前記測定音を発音する発音装置と、発音された前記測定音を収音する収音装置と、前記測定音が前記発音装置から発音されてから前記収音装置によって収音されるまでの伝達時間を算出する音響伝達時間算出装置とを備え、前記発音装置は、前記測定音を前記音場が形成される空間内に発音する発音手段と、前記発音手段に設置され、前記発音手段の位置を表す発音手段位置情報を検出する発音手段位置検出手段とを備え、前記収音装置は、前記空間内に発音され前記空間内で伝わった前記測定音を収音する収音手段と、収音された前記測定音を表す収音信号を記録する記録手段と、前記収音手段に設置され、前記収音手段の位置を表す収音手段位置情報を検出する収音手段位置検出手段とを備え、前記音響伝達時間算出装置は、前記空間における音速を算出する音速算出手段と、前記発音手段位置情報と前記収音手段位置情報とに基づいて前記発音手段と前記収音手段との間の距離を算出し、算出された前記距離および前記音速算出手段によって算出された前記音速に基づいて前記伝達時間を算出する伝達時間算出手段とを備え、前記収音信号および前記伝達時間を前記音場の伝達特性を取得するために必要なデータとして記録することを特徴とする音場伝達特性データ記録システム。
【請求項３】
音場が形成される空間に測定音を発音する工程と、前記空間内に発音され前記空間内で伝わった前記測定音を収音する装置に前記測定音が発音された時点を表すトリガ信号を無線で送信する工程と、前記音場の伝達特性を測定するために必要な前記トリガ信号および前記空間内に発音され前記空間内で伝わった前記測定音を表す収音信号をデータとして記録する工程とを含むことを特徴とする音場伝達特性データ記録方法。
【請求項４】
音場を形成する測定音を発音する装置の位置を表す発音装置位置情報を取得する工程と、前記音場が形成される空間に発音され、前記空間内で伝わった前記測定音を収音する装置の位置を表す収音装置位置情報とを取得する工程と、取得された前記発音装置位置情報および前記収音装置位置情報とに基づいて前記測定音を発音する前記装置と前記空間内に発音され前記空間内で伝わった前記測定音を収音する前記装置との間の距離を算出する工程と、前記空間における音速を算出する工程と、算出された前記距離および前記音速に基づいて前記測定音を発音する前記装置によって前記測定音が発音されてから前記空間内で伝わった前記測定音を収音する前記装置で収音されるまでの伝達時間を算出する工程と、前記空間内に発音され前記空間内で伝わった前記測定音を表す収音信号を記録する工程とを含むことを特徴とする音場伝達特性データ記録方法。
【発明の詳細な説明】
【０００１】
【発明の属する技術分野】
本発明は、音場の伝達特性を取得するために必要なデータを記録する音場伝達特性データ記録システムおよび音場伝達特性データ記録方法に関する。
【０００２】
【従来の技術】
従来から、音場を形成する測定音を音場が形成される空間に発音し、空間内で伝わった測定音を収音することにより音場の伝達特性を取得するために必要なデータを記録する音場伝達特性データ記録システムが提供されていた（例えば、特許文献１を参照）。
【０００３】
図６に表すように、このような従来の音場伝達特性データ記録システム６００は、後述の測定音信号生成装置６２０に測定音を表す測定音信号を生成するように指示し、後述の伝達特性測定装置６５０に測定音が発音される時点を表す発音時点情報を出力する測定制御装置６１０と、測定音信号を生成する測定音信号生成装置６２０と、建造物６６０が有する音場が形成される空間に測定音を発音する発音装置６３０と、建造物６６０が有する音場が形成される空間内で伝わった測定音を収音する収音装置６４０と、収音された測定音を表す収音信号と発音時点情報とをデータとして記録することにより音場の伝達特性を測定する伝達特性測定装置６５０とを備え、測定制御装置６１０と測定音信号生成装置６２０、測定制御装置６１０と伝達特性測定装置６５０、収音装置６４０と伝達特性測定装置６５０とのそれぞれの間はケーブルによって接続されていた。
【０００４】
このような従来の音場伝達特性データ記録システム６００の動作について、図６を用いて説明する。
【０００５】
測定制御装置６１０によって測定音信号生成装置６２０に測定音信号を生成させる生成指示が出力され、測定音信号生成装置６２０によって生成された測定音信号は発音装置６３０によって測定音に変換され、変換された測定音は、建造物６６０が有する音場が形成される空間に発音される。また、発音装置６３０によって測定音が発音される時点を表す発音時点情報が測定制御装置６１０から伝達特性測定装置６５０に出力される。次に、建造物６６０が有する音場が形成される空間内で伝わった測定音は、収音装置６４０によって収音され、収音された測定音を表す収音信号は、伝達特性測定装置６５０に出力され、伝達特性測定装置６５０に音場伝達特性を取得するために必要な発音時点情報と、収音信号とが記録される。
【０００６】
【特許文献１】
特開２０００−６９５９７号公報（第４頁、図２）
【０００７】
【発明が解決しようとする課題】
しかしながら、このような従来の音場伝達特性データ記録システム６００は、スタジアムのフィールドのような広大な空間における音場の伝達特性を測定する場合、測定音信号生成装置６２０はスタジアム建物内部にある音響調整室に配置され、収音装置６４０はスタジアムのフィールドの一角に配置され、伝達特性測定装置６５０はスタジアム外に停車された車両内に配置されるということも珍しくなく、それぞれの装置間の距離も空間の広さに比例して長くなり、それぞれの装置を接続するケーブルの長さが５００ｍに及ぶこともある。そのため、５００ｍのケーブルをスタジアムのフィールドからスタジアム外に停車された車両まで取り回す作業などが必要となり、この作業に多くの時間と人員が必要であったため、収音信号を記録する作業を効率的に行うことができなかった。
【０００８】
本発明は、このような問題を解決するためになされたもので、収音信号を記録する作業を効率的に行うことができる音場伝達特性データ記録システムおよび音場伝達特性データ記録方法を提供するものである。
【０００９】
【課題を解決するための手段】
本発明の音場伝達特性データ記録システムは、測定音を表す測定音信号を生成する測定音信号生成装置と、前記測定音を音場が形成される空間内に発音する発音装置と、発音された前記測定音を収音する収音装置とを備え、前記測定音信号生成装置は、前記測定音信号および前記測定音が発音された時点を表すトリガ信号を生成する信号生成手段と、前記トリガ信号を無線で送信する無線送信手段とを備え、前記収音装置は、前記空間内に発音され、前記空間内で伝わった前記測定音を収音する収音手段と、前記トリガ信号を無線で受信する無線受信手段と、収音された前記測定音を表す収音信号および受信された前記トリガ信号を前記音場の伝達特性を取得するために必要なデータとして記録する記録手段とを備える構成を有している。
【００１０】
この構成により、収音信号とトリガ信号とを収音装置に記録することができ、各装置はケーブルで接続される必要がなくなるため、ケーブルを取り回すための作業時間と人員コストとの削減をすることができ、従来通りの音場特性データの収音信号を記録する作業を効率的に行うことができる。
【００１１】
また、本発明の音場伝達特性データ記録システムは、測定音を表す測定音信号を生成する測定音信号生成装置と、前記測定音を発音する発音装置と、発音された前記測定音を収音する収音装置と、前記音声が前記発音装置から発音されてから前記収音装置によって収音されるまでの伝達時間を算出する音響伝達時間算出装置とを備え、前記発音装置は、前記測定音を前記音場が形成される空間内に発音する発音手段と、前記発音手段に設置され、前記発音手段の位置を表す発音手段位置情報を検出する発音手段位置検出手段とを備え、前記収音装置は、前記空間内に発音され前記空間内で伝わった前記測定音を収音する収音手段と、収音された前記測定音を表す収音信号を記録する記録手段と、前記収音手段に設置され、前記収音手段の位置を表す収音手段位置情報を検出する収音手段位置検出手段とを備え、前記音響伝達時間算出装置は、前記空間における音速を算出する音速算出手段と、前記発音手段位置情報と前記収音手段位置情報とに基づいて前記発音手段と前記収音手段との間の距離を算出し、算出された前記距離と前記音速算出手段によって算出された前記音速とに基づいて前記伝達時間を算出する伝達時間算出手段とを備え、前記音場の伝達特性を取得するために必要な前記収音信号および前記伝達時間をデータとして記録する構成を有している。
【００１２】
この構成により、測定音が発音装置から発音されてから収音装置によって収音されるまでの正確な時間を取得することができる。
【００１３】
また、本発明の音場伝達特性データ記録方法は、音場が形成される空間に測定音を発音する工程と、前記空間内に発音され、前記空間内で伝わった前記測定音を収音する装置に前記測定音が発音された時点を表すトリガ信号を無線で送信する工程と、前記音場の伝達特性を測定するために必要な前記トリガ信号および前記空間内に発音され前記空間内で伝わった前記測定音を表す収音信号をデータとして記録する工程とを含む構成を有している。
【００１４】
この構成により、収音信号とトリガ信号とを測定音を収音する装置に記録することができ、各装置はケーブルで接続される必要がなくなるため、ケーブルを取り回すための作業時間と人員コストとの削減をすることができ、収音信号を記録する作業を効率的に行うことができる。
【００１５】
また、本発明の音場伝達特性データ記録方法は、音場を形成する測定音を発音する装置の位置を表す発音装置位置情報を取得する工程と、前記音場が形成される空間に発音され前記空間内で伝わった前記測定音を収音する装置の位置を表す収音装置位置情報とを取得する工程と、取得された前記発音装置位置情報および前記収音装置位置情報とに基づいて前記測定音を発音する前記装置と前記空間内に発音され、前記空間内で伝わった前記測定音を収音する前記装置との間の距離を算出する工程と、前記空間における音速を算出する工程と、算出された前記距離および前記音速に基づいて前記測定音を発音する前記装置によって前記測定音が発音されてから前記空間内で伝わった前記測定音を収音する前記装置で収音されるまでの伝達時間を算出する工程と、前記空間内に発音され前記空間内で伝わった前記測定音を表す収音信号を記録する工程とを含む構成を有している。
【００１６】
この構成により、測定音が音声を発音する装置から発音されてから空間内で伝わった測定音を収音する装置によって収音されるまでの正確な時間を記録することができる。
【００１７】
【発明の実施の形態】
以下、本発明の実施の形態について、図面を用いて説明する。
【００１８】
（第１の実施の形態）
図１は、本発明の第１の実施の形態の音場伝達特性データ記録システム１００のブロック構成を表す図である。
【００１９】
音場伝達特性データ記録システム１００は、音場を形成するＴＳＰ（Ｔｉｍｅ　Ｓｔｒｅｔｃｈｅｄ　Ｐｕｌｓｅ）音を表すＴＳＰ音信号を生成する測定音信号生成装置１１０と、建造物１５０が有する空間、すなわち音場が形成される空間内にＴＳＰ音を発音する発音装置１２０と、音場が形成される空間内で伝わったＴＳＰ音を収音する収音装置１３０と、音場の伝達特性を取得するために収音装置１３０によって収音されたＴＳＰ音を表すＴＳＰ収音信号を解析する解析装置１６０とを備える。ここで、ＴＳＰ音は本発明における「測定音」であり、ＴＳＰ音信号は本発明における「測定音信号」であり、ＴＳＰ収音信号は本発明における「収音信号」である。
【００２０】
測定音信号生成装置１１０は、２チャンネルの信号出力チャンネルを有し、ＴＳＰ音信号を生成すると共に、ＴＳＰ音が発音装置１２０によって発音される時点を表すトリガ信号を生成し、生成されたＴＳＰ音信号を第１チャンネルから出力し、生成されたトリガ信号を第２チャンネルから出力する信号生成手段１１１と、信号生成手段１１１によって生成されたトリガ信号を電波によって無線で収音装置１３０に送信する無線送信手段１１２と、信号生成手段１１１によって生成されたＴＳＰ音信号を増幅する増幅手段１１３とを備える。
【００２１】
発音装置１２０は、音場が形成される空間内に設置され、ＴＳＰ音信号をＴＳＰ音に変換し、ＴＳＰ音を音場が形成される空間内に発音するようになっている。
【００２２】
収音装置１３０は、音場が形成される空間内に設置され、音場が形成される空間内で伝わったＴＳＰ音を収音し、ＴＳＰ収音信号を生成して、生成されたＴＳＰ収音信号を記録手段１３３に出力する収音手段１３１と、測定音信号生成装置１１０により電波によって無線で送信されたトリガ信号を受信し、受信されたトリガ信号を記録手段１３３に出力する無線受信手段１３２と、第１チャンネルが収音手段１３１に接続され、第２チャンネルが無線受信手段１３２に接続され、第１チャンネルにＴＳＰ収音信号が入力され、第２チャンネルにトリガ信号が入力されることで、ＤＡＴ（Ｄｉｇｉｔａｌ　Ａｕｄｉｏ　Ｔａｐｅ）にＴＳＰ収音信号とトリガ信号とを互いに異なるチャンネルで記録する記録手段１３３とを備える。
【００２３】
以下、本実施の形態の音場伝達特性データ記録システム１００の動作について説明する。
【００２４】
まず、測定音信号生成装置１１０の信号生成手段１１１によって、ＴＳＰ音信号とトリガ信号とが生成される。測定音信号生成装置１１０の信号生成手段１１１によって生成されたＴＳＰ音信号は、測定音信号生成装置１１０の増幅手段１１３によって増幅され、増幅されたＴＳＰ音信号は、発音装置１２０によってＴＳＰ音に変換され、ＴＳＰ音は、発音装置１２０によって音場が形成される空間内に発音される。
【００２５】
また、測定音信号生成装置１１０の信号生成手段１１１によって生成されたトリガ信号は、測定音信号生成装置１１０の無線送信手段１１２を介して、電波によって無線で収音装置１３０に送信される。
【００２６】
そして、電波によって無線で送信されたトリガ信号は、収音装置１３０の無線受信手段１３２によって受信され、発音装置１２０によってＴＳＰ音が発音されると同時に、収音装置１３０の記録手段１３３に第２チャンネルから入力される。
【００２７】
次に、音場が形成される空間内で伝わったＴＳＰ音は、収音装置１３０の収音手段１３１によって収音され、ＴＳＰ収音信号に変換され、ＴＳＰ収音信号は、記録手段１３３に第１チャンネルから入力される。
【００２８】
そして、収音装置１３０の記録手段１３３において、第１チャンネルから入力されたＴＳＰ収音信号と、第２チャンネルから入力されたトリガ信号とは同一のＤＡＴに互いに異なるチャンネルで記録される。
図２に、収音装置１３０の記録手段１３３のＤＡＴに記録される信号情報２００を表す。
【００２９】
図２において、トリガ信号波形２０１は、ＴＳＰ音が発音装置１２０から発音された発音時点およびトリガ信号のレベルを表す。直接音信号波形２０２は、ＴＳＰ音が最短距離で収音装置１３０の収音手段１３１に直接到達した時点およびＴＳＰ音の直接音のレベルを表す。反射音信号波形２０３は、ＴＳＰ音が建造物１５０の側面などの反射物によって反射されてから収音装置１３０の収音手段１３１に到達した時点とＴＳＰ音の反射音のレベルを表す。残響音信号波形２０４は、音場が形成される空間内に残ったＴＳＰ音の残響音が持続している時間およびＴＳＰ音の残響音のレベルを表す。伝達時間２１０は、ＴＳＰ音が発音装置１２０によって発音されてから収音装置１３０の収音手段１３１によって収音されるまでのＴＳＰ音が音場が形成される空間内で伝わった伝達時間を表す。
なお、直接音信号波形２０２と、反射音信号波形２０３と、残響音信号２０４波形とはＴＳＰ収音信号を構成する。
【００３０】
その後、収音装置１３０の記録手段１３３によってＤＡＴに記録されたＴＳＰ収音信号およびトリガ信号は、解析装置１６０によって互いに異なるチャンネルから読み取られ、音場の伝達特性を取得するためにＴＳＰ収音信号およびトリガ信号が解析される。
【００３１】
以上説明したように、トリガ信号を電波によって無線で伝達することによってＴＳＰ音の伝達時間と比較して無視できる程度の遅延を有してＤＡＴにトリガ信号を発音時点音信号として記録することができ、正確な伝達時間をＴＳＰ収音信号と共にＤＡＴ内に記録することができるため、信号生成装置と解析装置との間にケーブルが必要なく、また収音装置と解析装置との間にもケーブルが必要なくなり、ケーブルを取り回すための作業時間と人員コストとの削減をすることができるため、ＴＳＰ収音信号を記録する作業を効率的に行うことができる。
【００３２】
（第２の実施の形態）
図３は、本発明の第２の実施の形態の音場伝達特性データ記録システム３００のブロック構成を表す図である。
【００３３】
音場伝達特性データ記録システム３００は、ＴＳＰ音信号を生成する測定音信号生成装置３１０と、音場が形成される空間にＴＳＰ音を発音する発音装置１２０と、音場が形成される空間内で伝わったＴＳＰ音を収音する収音装置３３０と、音場の伝達特性を取得するためにＴＳＰ収音信号を解析する解析装置１６０とを備える。
【００３４】
なお、本発明の第２の実施の形態の音場伝達特性データ記録システム３００を構成する構成要素のうち、前述の本発明の第１の実施の形態の音場伝達特性データ記録システム１００における構成要素と同様の処理を行うものには同一の符号を付し、それぞれの説明を省略する。
【００３５】
測定音信号生成装置３１０の発音手段３１５は、測定音信号生成装置３１０の信号生成手段１１１の第２チャンネルに接続され、測定音信号生成装置３１０の信号生成手段１１１によって生成されたトリガ信号をトリガ音声に変換して、後述のトランシーバ３１６に向かって発音するようになっている。
【００３６】
測定音信号生成装置３１０のトランシーバ３１６は、後述の収音装置３３０のトランシーバ３３４と対を成し、トリガ音声を収音し、収音されたトリガ音声をトリガ信号に変換し、変換されたトリガ信号を電波によって無線で収音装置３３０に送信するようになっている。
【００３７】
収音装置３３０のトランシーバ３３４は、測定音信号生成装置３１０のトランシーバ３１６と対を成し、測定音信号生成装置３１０のトランシーバ３１６により電波によって無線で送信されたトリガ信号を受信し、トリガ音声に変換し、変換されたトリガ音声を後述のトリガ音声収音手段３３５に向かって発音するようになっている。
【００３８】
収音装置３３０のトリガ音声収音手段３３５は、収音装置３３０の記録手段１３３の第２チャンネルに接続され、トリガ音声を収音し、トリガ信号に変換し、変換されたトリガ信号を収音装置３３０の記録手段１３３に出力するようになっている。
【００３９】
以下、本実施の形態の音場伝達特性データ収集システム３００の動作について説明する。
【００４０】
まず、測定音信号生成装置３１０の信号生成装置１１１によって、ＴＳＰ音信号とトリガ信号とが生成され、生成されたＴＳＰ音信号は第１チャンネルから測定音信号生成装置３１０の増幅手段１１３に出力され、生成されたトリガ信号は第２チャンネルから測定音信号生成装置３１０の発音手段３１５に出力される。
【００４１】
次に、ＴＳＰ音信号は測定音信号生成装置３１０の増幅手段１１３によって増幅され、増幅されたＴＳＰ音信号は、発音装置１２０によってＴＳＰ音に変換され、変換されたＴＳＰ音は発音装置１２０によって音場が形成される空間内に発音される。
【００４２】
また、測定音信号生成装置３１０の発音手段３１５によってトリガ信号はトリガ音声に変換され、変換されたトリガ音声は測定音信号生成装置３１０のトランシーバ３１６に向かって発音される。
【００４３】
次いで、測定音信号生成装置３１０のトランシーバ３１６によってトリガ音声が収音され、収音されたトリガ音声はトリガ信号に変換され、変換されたトリガ信号は測定音信号生成装置３１０のトランシーバ３１６により電波によって無線で収音装置３３０に送信される。
【００４４】
そして、測定音信号生成装置３１０のトランシーバ３１６により電波によって無線で送信されたトリガ信号は収音装置３３０のトランシーバ３３４によって受信され、受信されたトリガ信号はトリガ音声に変換され、変換されたトリガ音声は収音装置３３０のトランシーバ３３４によってトリガ音声収音手段３３５に向かって発音される。
【００４５】
その後、収音装置３３０のトリガ音声収音手段３３５によってトリガ音声が収音され、収音されたトリガ音声はトリガ信号に変換され、変換されたトリガ信号は発音装置１２０によってＴＳＰ音が発音されると同時に、収音装置３３０の記録手段１３３に第２チャンネルから入力される。
【００４６】
次いで、音場が形成される空間内で伝わったＴＳＰ音が、収音装置３３０の収音手段１３１によって収音され、収音されたＴＳＰ音はＴＳＰ収音信号に変換され、変換されたＴＳＰ収音信号は、記録手段１３３に第１チャンネルから入力される。
【００４７】
そして、収音装置３３０の記録手段１３３において、第１チャンネルから入力されたＴＳＰ収音信号と、第２チャンネルから入力されたトリガ信号とは、同一のＤＡＴに記録される。
なお、収音装置３３０の記録手段１３３のＤＡＴに記録された信号情報は、例として図２の信号情報２００と同様のものになる。
【００４８】
その後、ＤＡＴに記録されたＴＳＰ収音信号およびトリガ信号は、解析装置１６０によって互いに異なるチャンネルから読み取られ、音場の伝達特性を取得するためにＴＳＰ収音信号およびトリガ信号が解析される。
【００４９】
以上説明したように、トリガ信号を電波によって無線で収音装置に送信することによってＴＳＰ音の伝達時間と比較して無視できる程度の遅延を有してＤＡＴにトリガ信号を発音時点音信号として記録することができ、正確な伝達時間をＴＳＰ収音信号と共にＤＡＴ内に記録することができるため、測定音信号生成装置と解析装置との間にケーブルが必要なく、また、収音装置と解析装置との間にもケーブルが必要なくなるため、ケーブルを取り回すための作業時間と人員コストとの削減をすることができ、ＴＳＰ収音信号を記録する作業を効率的に行うことができる。
【００５０】
なお、前述の第１と第２の実施の形態において、測定音信号生成装置の信号生成装置の第１チャンネルからＴＳＰ音信号が出力され、第２チャンネルからトリガ信号が出力される例と、収音装置の記録手段の第１チャンネルにＴＳＰ収音信号が入力され、第２チャンネルからトリガ信号が入力される例について説明したが、それぞれの手段にＴＳＰ音信号およびトリガ信号が入出力されるチャンネルが第１と第２の実施の形態と異なる場合、例えば測定音信号生成装置の信号生成装置の第１チャンネルからトリガ信号が出力され、第２チャンネルからＴＳＰ音信号が出力され、収音装置の収音手段の第１チャンネルにトリガ信号が入力され、第２チャンネルからＴＳＰ収音信号が入力されるようにしても良い。
【００５１】
（第３の実施の形態）
図４は、本発明の第３の実施の形態の音場伝達特性データ記録システム４００のブロック構成を表す図である。
【００５２】
音場伝達特性データ記録システム４００は、ＴＳＰ音信号を生成する測定音信号生成装置１１０と、音場が形成される空間にＴＳＰ音を発音する発音装置１２０と、音場が形成される空間内で伝わったＴＳＰ音を収音する収音装置４３０と、音場の伝達特性を取得するためにＴＳＰ収音信号を解析する解析装置１６０とを備える。
【００５３】
なお、本発明の第３の実施の形態の音場伝達特性データ記録システム４００を構成する構成要素のうち、前述の本発明の第１の実施の形態の音場伝達特性データ記録システム１００における構成要素と同様の処理を行うものには同一の符号を付し、それぞれの説明を省略する。
【００５４】
収音装置４３０のダミーヘッドマイクロホン４３１は、音場が形成される空間内に設置され、人間の頭部を模した形状を成し、耳が形成される部位に後述の第１の収音手段４３１ａおよび後述の第２の収音手段４３１ｂを有するようになっている。
【００５５】
収音装置４３０の第１の収音手段４３１ａは、音場が形成される空間内で伝わったＴＳＰ音を収音し、収音されたＴＳＰ音を表す信号、すなわち第１のＴＳＰ収音信号を生成して、生成された第１のＴＳＰ収音信号を記録手段４３３に出力するようになっている。
また、収音装置４３０の第２の収音手段４３１ｂは、音場が形成される空間内で伝わったＴＳＰ音を収音し、収音されたＴＳＰ音を表す信号、すなわち第２のＴＳＰ収音信号を生成して、生成された第２のＴＳＰ収音信号を記録手段４３３に出力するようになっている。
【００５６】
収音装置４３０の記録手段４３３は、少なくとも３つの信号記録チャンネルを有し、第１の信号記録チャンネルは、第１の収音手段４３１ａに接続されることで第１のＴＳＰ収音信号が入力され、第２の信号記録チャンネルは、第２の収音手段４３１ｂに接続されることで第２のＴＳＰ収音信号が入力され、第３の信号記録チャンネルは、無線受信手段１３１に接続され、トリガ信号が入力されることで、ＤＶＤ（Ｄｉｇｉｔａｌ　Ｖｅｒｓａｔｉｌｅ　Ｄｉｓｋ）の互いに異なる信号記録チャンネルにＴＳＰ収音信号およびトリガ信号を記録するようになっている。
【００５７】
以下、本実施の形態の音場伝達特性データ記録システム４００の動作について説明する。
【００５８】
まず、測定音信号生成装置１１０の信号生成手段１１１によって、ＴＳＰ音信号とトリガ信号とが生成され、生成されたＴＳＰ音信号は第１チャンネルから測定音信号生成装置１１０の増幅手段１１３に出力され、生成されたトリガ信号は第２チャンネルから測定音信号生成装置１１０の無線送信手段１１２を介して、電波によって無線で収音装置４３０に送信される。
【００５９】
次いで、ＴＳＰ音信号は、測定音信号生成装置１１０の増幅手段１１３によって増幅され、増幅されたＴＳＰ音信号は、発音装置１２０によってＴＳＰ音に変換され、変換されたＴＳＰ音は発音装置１２０によって音場が形成される空間内に発音される。
【００６０】
さらに、電波によって無線で送信されたトリガ信号は、収音装置４３０の無線受信手段１３２によって受信され、受信されたトリガ信号は、ＴＳＰ音が発音装置１２０によって音場が形成される空間に発音されるのと同時に収音装置４３０の記録手段４３３に第３の信号記録チャンネルから入力される。
【００６１】
次に、音場が形成される空間内で伝わったＴＳＰ音が、収音装置４３０の第１の収音手段４３１ａ、および第２の収音手段４３１ｂによって収音され、収音されたそれぞれのＴＳＰ音は第１のＴＳＰ収音信号、および第２のＴＳＰ収音信号に変換され、変換された第１のＴＳＰ収音信号は、収音装置４３０の記録手段４３３に第１の信号記録チャンネルから入力され、変換された第２のＴＳＰ収音信号は、収音装置４３０の記録手段４３３に第２の信号記録チャンネルから入力される。
【００６２】
そして、収音装置４３０の記録手段４３３によって、第１の信号記録チャンネルから入力された第１のＴＳＰ収音信号と、第２の信号記録チャンネルから入力された第２のＴＳＰ収音信号と、第３の信号記録チャンネルから入力されたトリガ信号とが、ＤＶＤの互いに異なる信号記録チャンネルに記録される。
【００６３】
その後、ＤＶＤに記録された第１のＴＳＰ収音信号、第２のＴＳＰ収音信号およびトリガ信号は、解析装置１６０によって互いに異なるチャンネルから読み取られ、音場の伝達特性を取得するため第１のＴＳＰ収音信号、第２の収音信号およびトリガ信号が解析される。
【００６４】
以上説明したように、トリガ信号を電波によって無線で収音装置に送信することによって、ＴＳＰ音の伝達時間と比較して無視できる程度の遅延を有してＤＡＴにトリガ信号を発音時点音信号として記録することができるので、正確な伝達時間をＴＳＰ収音信号と共にＤＶＤ内に記録することができる。さらに、ＤＶＤに第１のＴＳＰ収音信号、第２のＴＳＰ収音信号およびトリガ信号をそれぞれ互いに異なる信号記録チャンネルに記録するので、記録された第１の収音信号、第２の収音信号およびトリガ信号を解析することで、音場が形成される空間内にて実際に人間が感じる立体的な音場の伝達特性を取得することができる。
【００６５】
なお、本実施の形態において、本発明の音場伝達特性データ記録システムにおける複数個からなる収音手段を人間の頭部を模したダミーヘッドマイクロホンによって構成した例について説明したが、ダミーヘッドマイクロホンに限らず、正四面体の各頂点に収音手段を設置した正四面体頂点法によってＴＳＰ音を収音するようにしても良いし、その他、本発明の趣旨から逸脱しない限りにおいてどのような収音手段を用いても良い。
【００６６】
また、複数のＴＳＰ収音信号を互いに異なるチャンネルに記録する記録手段をＤＶＤによって構成した例について説明したが、ＤＶＤに限らず、マルチレコーダによって複数のＴＳＰ収音信号を互いに異なるチャンネルで記録するようにしても良いし、その他、本発明の趣旨から逸脱しない限りにおいてどのような記録手段を用いても良い。
【００６７】
さらに、本実施の形態において、第１のＴＳＰ収音信号を第１の信号記録チャンネルに記録し、第２のＴＳＰ収音信号を第２の信号記録チャンネルに記録し、トリガ信号を第３の信号記録チャンネルに記録するようにした例について説明したが、それぞれの信号が記録される信号記録チャンネルを限定するものでなく、任意に記録される信号と信号を記録する信号記録チャンネルとを組み合わせても良い。
【００６８】
（第４の実施の形態）
図５は、本発明の第４の実施の形態の音場伝達特性データ記録システム５００のブロック構成を表す図である。
【００６９】
音場伝達特性データ記録システム５００は、ＴＳＰ音信号を生成する測定音信号生成装置５１０と、音場が形成される空間にＴＳＰ音を発音する発音装置５２０と、音場が形成される空間内で伝わったＴＳＰ音を収音する収音装置５３０と、ＴＳＰ音が発音装置５２０によって発音されてから収音装置５３０によって収音されるまでの伝達時間を測定する音響伝達時間算出装置５４０と、音場の伝達特性を取得するためにＴＳＰ収音信号を解析する解析装置１６０とを備える。
【００７０】
なお、本発明の第４の実施の形態の音場伝達特性データ記録システム５００を構成する構成要素のうち、前述の本発明の第１の実施の形態の音場伝達特性データ記録システム１００における構成要素と同様の処理を行うものには同一の符号を付し、それぞれの説明を省略する。
【００７１】
発音装置５２０の発音手段５２１は、音場が形成される空間内に設置され、ＴＳＰ音信号をＴＳＰ音に変換し、変換されたＴＳＰ音を音場が形成される空間内に発音するようになっている。
【００７２】
発音装置５２０の発音手段位置情報検出手段５２２は、発音装置５２０の発音手段５２１に設置され、ＧＰＳ（Ｇｌｏｂａｌ　Ｐｏｓｉｔｉｏｎｉｎｇ　Ｓｙｓｔｅｍ）衛星によって送信されるＧＰＳ信号を受信することで、発音装置５２０の発音手段５２１の位置を表す発音手段位置情報を検出するようになっている。発音装置５２０の無線送信手段５２３は、発音装置５２０の発音手段位置情報検出手段５２２によって検出された発音手段位置情報を音響伝達時間算出装置５４０に無線で送信するようになっている。
【００７３】
収音装置５３０の収音手段位置情報検出手段５３６は、収音装置５３０の収音手段１３１に設置され、ＧＰＳ衛星によって送信されるＧＰＳ信号を受信することで、収音装置５３０の収音手段１３１の位置を表す収音手段位置情報を検出するようになっている。収音装置５３０の無線送信手段５３７は、収音装置５３０の収音手段位置情報検出手段５３６によって検出された収音手段位置情報を音響伝達時間算出装置５４０に無線で送信するようになっている。
【００７４】
音響伝達時間算出装置５４０は、音場が形成される空間の温度を測定する温度測定手段５４１と、温度測定手段５４１によって測定された温度から音場が形成される空間における音速を算出する音速算出手段５４２と、発音装置５２０によって送信される発音手段位置情報を無線で受信する第１の無線受信手段５４３と、収音装置５３０によって送信される収音手段位置情報を無線で受信する第２の無線受信手段５４４と、発音手段位置情報および収音手段位置情報に基づいて発音装置５２０の発音手段５２１と収音装置５３０の収音手段１３１との間の距離を算出し、算出された距離および音速算出手段５４２によって算出された音速に基づいてＴＳＰ音が発音装置５２０の発音手段５２１によって発音されてから収音装置５３０の収音手段１３１によって収音されるまでの伝達時間を測定する伝達時間算出手段５４５とを備える。
【００７５】
以下、本実施の形態の音場伝達特性データ記録システム５００の動作について説明する。
【００７６】
まず、測定音信号生成装置５１０の信号生成手段１１１によって、ＴＳＰ音信号が生成され、生成されたＴＳＰ音信号は、測定音信号生成装置５１０の増幅手段１１３に出力される。
【００７７】
引き続き、ＴＳＰ音信号は測定音信号生成装置５１０の増幅手段１１３によって増幅され、増幅されたＴＳＰ音信号は、発音装置５２０の発音手段５２１によってＴＳＰ音に変換され、変換されたＴＳＰ音は発音装置５２０の発音手段５２１によって音場が形成される空間内に発音される。
【００７８】
次に、発音装置５２０の発音手段位置情報検出手段５２２によってＧＰＳ信号が受信されることで、発音手段位置情報が検出され、検出された発音手段位置情報は発音装置５２０の無線送信手段５２３によって音響伝達時間算出装置５４０に無線で送信される。
【００７９】
そして、音場が形成される空間内で伝わったＴＳＰ音が、収音装置５３０の収音手段１３１によって収音され、収音されたＴＳＰ音はＴＳＰ収音信号に変換され、変換されたＴＳＰ収音信号は、収音装置５３０の記録手段１３３に入力されることでＤＡＴに記録される。
【００８０】
次いで、収音装置５３０の収音手段位置情報検出手段５３６によってＧＰＳ信号が受信されることで、収音手段位置情報が検出され、検出された収音手段位置情報は収音装置５３０の無線送信手段５３７によって音響伝達時間算出装置５４０に無線で送信される。
【００８１】
次に、音響伝達時間算出装置５４０の温度測定手段５４１によって、音場が形成される空間の温度が測定され、測定された温度は音響伝達時間算出装置５４０の音速算出手段５４２に出力される。
【００８２】
引き続き、音響伝達時間算出装置５４０の音速算出手段５４２によって、入力された温度に基づいて音場が形成される空間における音速が算出され、算出された音速は音響伝達時間算出装置５４０の伝達時間算出手段５４５に出力される。
【００８３】
そして、発音装置５２０によって送信された発音手段位置情報が、音響伝達時間算出装置５４０の第１の無線受信手段５４３によって無線で受信され、受信された発音手段位置情報は音響伝達時間算出装置５４０の伝達時間算出手段５４５に出力される。
【００８４】
さらに、収音装置５３０によって送信された収音手段位置情報が、音響伝達時間算出装置５４０の第２の無線受信手段５４４によって無線で受信され、受信された収音手段位置情報は、音響伝達時間算出装置５４０の伝達時間算出手段５４５に出力される。
【００８５】
次に、音響伝達時間算出装置５４０の伝達時間算出手段５４５によって、入力された発音手段位置情報と収音手段位置情報とに基づいて、発音装置５２０の発音手段５２１と収音装置５３０の収音手段１３１との間の距離を算出し、算出された距離と音響伝達時間算出装置５４０の音速算出手段５４２によって算出された音速とに基づいて、伝達時間を算出する。
なお、音響伝達時間算出装置５４０の伝達時間算出手段５４５によって算出された伝達時間は、図２に示す信号情報２００の伝達時間２１０を表す。
【００８６】
その後、収音装置５３０の記録手段１３３によってＤＡＴに記録されたＴＳＰ収音信号および音響伝達時間算出装置５４０の伝達時間算出手段５４５によって算出された伝達時間は、解析装置１６０によって読み取られ、音場の伝達特性を取得するためにＴＳＰ収音信号および伝達時間が解析される。
【００８７】
以上説明したように、音響伝達時間算出装置５４０によって伝達時間を高精度に算出することができ、ＴＳＰ収音信号をＤＡＴ内に記録することができるため、測定音信号生成装置と伝達特性測定装置との間にケーブルが必要なく、また、収音装置と伝達特性測定装置との間にもケーブルが必要なくなるため、ケーブルを取り回すための作業時間と人員コストとの削減をすることができ、ＴＳＰ収音信号を記録する作業を効率的に行うことができる。
【００８８】
なお、前述の第１から第４までの実施の形態において、音場を形成する測定音としてＴＳＰ音信号を音に変換したＴＳＰ音を用いた例について説明したが、ＴＳＰ音に限るものではなく、その他、本発明の趣旨から逸脱しない限りにおいてどのような音を用いても良い。
【００８９】
また、前述の第１、第２、および第４の実施の形態において、収音装置の記録手段としてＤＡＴを用いた例について説明したが、ＤＡＴに限るものではなく、その他、本発明の趣旨から逸脱しない限りにおいてどのような記録手段を用いても良い。
【００９０】
【発明の効果】
以上説明したように、本発明は、収音信号を記録する作業を効率的に行うことができるものである。
【図面の簡単な説明】
【図１】本発明の第１の実施の形態の音場伝達特性データ記録システムのブロック図
【図２】本発明の第１または第４の実施の形態の音場伝達特性データ記録システムによって記録される信号情報の例を示す図
【図３】本発明の第２の実施の形態の音場伝達特性データ記録システムのブロック図
【図４】本発明の第３の実施の形態の音場伝達特性データ記録システムのブロック図
【図５】本発明の第４の実施の形態の音場伝達特性データ記録システムのブロック図
【図６】従来の音場伝達特性データ記録システムのブロック図
【符号の説明】
１００、３００、４００、５００　音場伝達特性データ記録システム
１１０、３１０、５１０　測定音信号生成装置
１１１　測定音信号生成装置の信号生成手段
１１２　測定音信号生成装置の無線送信手段
１１３　測定音信号生成装置の増幅手段
１２０、５２０　発音装置
１３０、３３０、４３０，５３０　収音装置
１３１、４３１ａ、４３１ｂ　収音装置の収音手段
１３２　収音装置の無線受信手段
１３３、４３３　収音装置の記録手段
１５０　音場が形成される空間を有する建造物
１６０　解析装置
２００　ＤＡＴに記録された信号情報
２０１　トリガ信号波形
２０２　直接音信号波形
２０３　反射音信号波形
２０４　残響音信号波形
２１０　伝達時間
３１５　測定音信号生成装置の発音手段
３１６　測定音信号生成装置のトランシーバ
３３４　収音装置のトランシーバ
３３５　収音装置のトリガ音声収音手段
４３１　ダミーヘッドマイクロホン
５２１　発音装置の発音手段
５２２　発音装置の発音手段位置情報検出手段
５２３　発音装置の無線送信手段
５３６　収音装置の収音手段位置情報検出手段
５３７　収音装置の無線送信手段
５４０　音響伝達時間算出装置
５４１　音響伝達時間算出装置の温度測定手段
５４２　音響伝達時間算出装置の音速算出手段
５４３　音響伝達時間算出装置の第１の無線受信手段
５４４　音響伝達時間算出装置の第２の無線受信手段
５４５　音響伝達時間算出装置の伝達時間算出手段
【図１】
2004125654.tif 000003
【図２】
2004125654.tif 000004
【図３】
2004125654.tif 000005
【図４】
2004125654.tif 000006
【図５】
2004125654.tif 000007
【図６】
2004125654.tif 000008